(57)【要約】【課題】  消費電力を低減しつつ、表示パターンを切り替えるとともに、切り替え時の表示のちらつきを抑制する。【解決手段】  セグメント電極４ａ〜４ｅの駆動制御を行う駆動制御部６を設け、駆動制御部６は、セグメント電極４ａ〜４ｅごとに駆動制御を行うことにより、表示の切り替えが行われないセグメントがリセットされないようにしながら、表示の切り替えが行われるセグメントの書き換えが行われるように、セグメント電極４ａ〜４ｅの駆動制御を行うとともに、所定時間だけ表示が継続されたセグメント表示をリセットしてから、同一のセグメント表示が再度行われるようにする。【選択図】      図１
2006350160.tif 000002
【特許請求の範囲】
【請求項１】
透明電極を介して表示基板上に積層された電気泳動表示体と、
前記電気泳動表示体をセグメントに区分けするセグメント電極と、
前記セグメント電極ごとに駆動制御を行う駆動制御部とを備えることを特徴とする電気泳動表示装置。
【請求項２】
透明電極を介して表示基板上に積層された電気泳動表示体と、
前記電気泳動表示体をセグメントに区分けするセグメント電極と、
前記セグメントごとに切り替えタイミングをずらしながら、前記セグメント電極の駆動制御を行う駆動制御部とを備えることを特徴とする電気泳動表示装置。
【請求項３】
透明電極を介して表示基板上に積層された電気泳動表示体と、
前記電気泳動表示体をセグメントに区分けするセグメント電極と、
表示の切り替えが行われないセグメントがリセットされないようにしながら、表示の切り替えが行われるセグメントの書き換えが行われるように、前記セグメント電極の駆動制御を行う駆動制御部とを備えることを特徴とする電気泳動表示装置。
【請求項４】
透明電極を介して表示基板上に積層された電気泳動表示体と、
前記電気泳動表示体をセグメントに区分けするセグメント電極と、
所定時間だけ表示が継続されたセグメント表示をリセットしてから、同一のセグメント表示が再度行われるように、前記セグメント電極の駆動制御を行う駆動制御部とを備えることを特徴とする電気泳動表示装置。
【請求項５】
透明電極を介して表示基板上に積層された電気泳動表示体と、
前記電気泳動表示体をセグメントに区分けするセグメント電極と、
駆動電圧の大きさに基づいて優先的に表示させるセグメントを選択しながら、前記セグメント電極の駆動制御を行う駆動制御部とを備えることを特徴とする電気泳動表示装置。
【請求項６】
電気泳動表示体をセグメントに区分けするセグメント電極が設けられた電気泳動表示装置の駆動方法において、
前記セグメントごとに切り替えタイミングをずらしながら、前記セグメント電極の駆動制御を行うことを特徴とする電気泳動表示装置の駆動方法。
【請求項７】
電気泳動表示体をセグメントに区分けするセグメント電極が設けられた電気泳動表示装置の駆動方法において、
表示の切り替えが行われないセグメントがリセットされないようにしながら、表示の切り替えが行われるセグメントの書き換えが行われるように、前記セグメント電極の駆動制御を行うことを特徴とする電気泳動表示装置の駆動方法。
【請求項８】
電気泳動表示体をセグメントに区分けするセグメント電極が設けられた電気泳動表示装置の駆動方法において、
所定時間だけ表示が継続されたセグメント表示をリセットしてから、同一のセグメント表示が再度行われるように、前記セグメント電極の駆動制御を行うことを特徴とする電気泳動表示装置の駆動方法。
【請求項９】
電気泳動表示体をセグメントに区分けするセグメント電極が設けられた電気泳動表示装置の駆動方法において、
駆動電圧の大きさに基づいて優先的に表示させるセグメントを選択しながら、前記セグメント電極の駆動制御を行うことを特徴とする電気泳動表示装置の駆動方法。
【発明の詳細な説明】
【技術分野】
【０００１】
本発明は電気泳動表示装置および電気泳動表示装置の駆動方法に関し、特に、電気泳動表示体を低消費電力化する方法に適用して好適なものである。
【背景技術】
【０００２】
表示装置の一つとして、特許文献１に開示されているように、分散媒中に分散された荷電粒子を電気泳動させることにより表示を行う電気泳動表示装置（ＥＰＤ：ＥｌｅｃｔｒｏＰｈｏｒｅｔｉｃ  Ｄｉｓｐｌａｙ）がある。この電気泳動表示装置は、液晶表示装置に比べて高コントラスト、広視野角、低消費電力であるという利点を有し、電源を切っても表示状態をそのまま維持できる不揮発性を持つことから、電子ペーパなどに有用である。
【０００３】
ここで、電気泳動表示装置の駆動方式の一つとしてセグメント表示方式がある。このセグメント表示方式では、電気泳動表示体を駆動する電極を分割し、分割されたセグメント電極ごとに表示制御を行うことにより、電気泳動表示装置に表示パターンを形成させることができる。このようなセグメント表示方式の電気泳動表示装置の表示パターンを切り替える場合、電気泳動表示全体を一旦リセットしてから、新たな表示パターンを電気泳動表示体に書き込むことが行われている。
【特許文献１】特開２００１−１８８２６８号公報
【発明の開示】
【発明が解決しようとする課題】
【０００４】
しかしながら、新たな表示パターンを電気泳動表示体に書き込む前に電気泳動表示全体を一旦リセットする方法では、何も表示されない画面が一瞬発生し、表示がちらつくという問題があった。また、電気泳動表示全体を一旦リセットすると、新たな表示パターンを書き込む際に電気泳動表示体の全面の書き換えを行う必要があり、消費電力が増大するという問題があった。
【０００５】
そこで、本発明の目的は、消費電力を低減しつつ、表示パターンを切り替えるとともに、切り替え時の表示のちらつきを抑制することが可能な電気泳動表示装置および電気泳動表示装置の駆動方法を提供することである。
【課題を解決するための手段】
【０００６】
上述した課題を解決するために、本発明の一態様に係る電気泳動表示装置によれば、透明電極を介して表示基板上に積層された電気泳動表示体と、前記電気泳動表示体をセグメントに区分けするセグメント電極と、前記セグメント電極ごとに駆動制御を行う駆動制御部とを備えることを特徴とする。
これにより、電気泳動表示体のセグメントに新たな表示パターンを書き込む場合においても、電気泳動表示全体を一旦リセットする必要がなくなる。このため、電気泳動表示体の全面の書き換えを行う必要がなくなり、書き換え時の駆動容量を低減させることが可能となることから、書き換え時の駆動電流を低減させることができ、消費電力を低減することが可能となる。また、電気泳動表示全体を一旦リセットする必要がなくなることから、同一パターンが表示されるセグメントについてはそのまま表示を継続させることができる。このため、電気泳動表示体のセグメントに新たな表示パターンを書き込む際に、何も表示されない状態が画面全体に渡って一瞬発生することを防止することができ、表示パターンの切り替え時のちらつきを抑制することが可能となる。
【０００７】
また、本発明の一態様に係る電気泳動表示装置によれば、透明電極を介して表示基板上に積層された電気泳動表示体と、前記電気泳動表示体をセグメントに区分けするセグメント電極と、前記セグメントごとに切り替えタイミングをずらしながら、前記セグメント電極の駆動制御を行う駆動制御部とを備えることを特徴とする。
これにより、電気泳動表示体のセグメントに新たな表示パターンを書き込む場合においても、セグメントごとに表示の切り替えタイミングを異ならせることが可能となる。このため、電気泳動表示体の書き換えを行う場合においても、電気泳動表示全体を一度にリセットする必要がなくなり、電気泳動表示体全面を一度に書き換える必要がなくなる。この結果、書き換え時の駆動容量を低減させることが可能となることから、書き換え時の駆動電流を低減させることができ、電源の容量を低減することが可能となる。また、電気泳動表示全体を一度にリセットする必要がなくなることから、電気泳動表示体の書き換えを行う場合においても、何も表示されない状態を画面上で分散させることができ、表示パターンの切り替え時のちらつきを抑制することが可能となる。
【０００８】
また、本発明の一態様に係る電気泳動表示装置によれば、透明電極を介して表示基板上に積層された電気泳動表示体と、前記電気泳動表示体をセグメントに区分けするセグメント電極と、表示の切り替えが行われないセグメントがリセットされないようにしながら、表示の切り替えが行われるセグメントの書き換えが行われるように、前記セグメント電極の駆動制御を行う駆動制御部とを備えることを特徴とする。
【０００９】
これにより、電気泳動表示体のセグメントに新たな表示パターンを書き込む場合においても、表示の切り替えが行われないセグメントがリセットされることを防止することができる。このため、電気泳動表示全体を一旦リセットする必要がなくなり、書き換え時の駆動容量を低減させることが可能となることから、書き換え時の駆動電流を低減させることができ、消費電力を低減することが可能となる。また、電気泳動表示全体を一旦リセットする必要がなくなることから、表示の切り替えが行われないセグメントについてはそのまま表示を継続させることができる。このため、電気泳動表示体のセグメントに新たな表示パターンを書き込む際に、何も表示されない状態が画面全体に渡って一瞬発生することを防止することができ、表示パターンの切り替え時のちらつきを抑制することが可能となる。
【００１０】
また、本発明の一態様に係る電気泳動表示装置によれば、透明電極を介して表示基板上に積層された電気泳動表示体と、前記電気泳動表示体をセグメントに区分けするセグメント電極と、所定時間だけ表示が継続されたセグメント表示をリセットしてから、同一のセグメント表示が再度行われるように、前記セグメント電極の駆動制御を行う駆動制御部とを備えることを特徴とする。
【００１１】
これにより、セグメント表示のコントラストが経時的に低下した場合においても、セグメント表示のコントラストを上昇させることが可能となるとともに、コントラストが低下したセグメントを選択して再書き込みを行うことができる。このため、同一パターンの表示が長時間継続される場合においても、書き換え時の消費電力の増大を抑制しつつ、電気泳動表示体の視認性を向上させることが可能となる。
【００１２】
また、本発明の一態様に係る電気泳動表示装置によれば、透明電極を介して表示基板上に積層された電気泳動表示体と、前記電気泳動表示体をセグメントに区分けするセグメント電極と、駆動電圧の大きさに基づいて優先的に表示させるセグメントを選択しながら、前記セグメント電極の駆動制御を行う駆動制御部とを備えることを特徴とする。
これにより、電源電圧が低下した場合においても、電気泳動表示体の画面全体が表示不能となることを防止することが可能となり、最低限必要不可欠な表示を継続させることができる。
【００１３】
また、本発明の一態様に係る電気泳動表示装置によれば、電気泳動表示体をセグメントに区分けするセグメント電極が設けられた電気泳動表示装置の駆動方法において、前記セグメントごとに切り替えタイミングをずらしながら、前記セグメント電極の駆動制御を行うことを特徴とする。
これにより、電気泳動表示体のセグメントに新たな表示パターンを書き込む場合においても、セグメントごとに表示の切り替えタイミングを異ならせることが可能となる。このため、電気泳動表示体の書き換えを行う場合においても、電気泳動表示全体を一度にリセットする必要がなくなり、電気泳動表示体全面を一度に書き換える必要がなくなる。この結果、書き換え時の駆動容量を低減させることが可能となることから、書き換え時の駆動電流を低減させることができ、電源の容量を低減することが可能となる。また、電気泳動表示全体を一度にリセットする必要がなくなることから、電気泳動表示体の書き換えを行う場合においても、何も表示されない状態を画面上で分散させることができ、表示パターンの切り替え時のちらつきを抑制することが可能となる。
【００１４】
また、本発明の一態様に係る電気泳動表示装置によれば、電気泳動表示体をセグメントに区分けするセグメント電極が設けられた電気泳動表示装置の駆動方法において、表示の切り替えが行われないセグメントがリセットされないようにしながら、表示の切り替えが行われるセグメントの書き換えが行われるように、前記セグメント電極の駆動制御を行うことを特徴とする。
【００１５】
これにより、電気泳動表示体のセグメントに新たな表示パターンを書き込む場合においても、表示の切り替えが行われないセグメントがリセットされることを防止することができる。このため、電気泳動表示全体を一旦リセットする必要がなくなり、書き換え時の駆動容量を低減させることが可能となることから、書き換え時の駆動電流を低減させることができ、消費電力を低減することが可能となる。また、電気泳動表示全体を一旦リセットする必要がなくなることから、表示の切り替えが行われないセグメントについてはそのまま表示を継続させることができる。このため、電気泳動表示体のセグメントに新たな表示パターンを書き込む際に、何も表示されない状態が画面全体に渡って一瞬発生することを防止することができ、表示パターンの切り替え時のちらつきを抑制することが可能となる。
【００１６】
また、本発明の一態様に係る電気泳動表示装置によれば、電気泳動表示体をセグメントに区分けするセグメント電極が設けられた電気泳動表示装置の駆動方法において、所定時間だけ表示が継続されたセグメント表示をリセットしてから、同一のセグメント表示が再度行われるように、前記セグメント電極の駆動制御を行うことを特徴とする。
これにより、セグメント表示のコントラストが経時的に低下した場合においても、セグメント表示のコントラストを上昇させることが可能となるとともに、コントラストが低下したセグメントを選択して再書き込みを行うことができる。このため、同一パターンの表示が長時間継続される場合においても、書き換え時の消費電力の増大を抑制しつつ、電気泳動表示体の視認性を向上させることが可能となる。
【００１７】
また、本発明の一態様に係る電気泳動表示装置によれば、電気泳動表示体をセグメントに区分けするセグメント電極が設けられた電気泳動表示装置の駆動方法において、駆動電圧の大きさに基づいて優先的に表示させるセグメントを選択しながら、前記セグメント電極の駆動制御を行うことを特徴とする。
これにより、電源電圧が低下した場合においても、電気泳動表示体の画面全体が表示不能となることを防止することが可能となり、最低限必要不可欠な表示を継続させることができる。
【発明を実施するための最良の形態】
【００１８】
以下、本発明の実施形態に係る電気泳動表示装置およびその駆動方法について図面を参照しながら説明する。
図１は、本発明の第１実施形態に係る電気泳動表示装置の概略構成を示す断面図である。
図１において、表示基板１には透明電極２を介して電気泳動表示体３が積層されている。なお、表示基板１としてはソリッド基板でもフレキシブル基板でもよく、表示基板１の材質としては、例えば、ＰＥＴ（ポリエチレンテレフタレート）などの透明樹脂を用いることができる。また、透明電極２としては、例えば、ＩＴＯ（Ｉｎｄｉｕｍ  Ｔｉｎ  Ｏｘｉｄｅ：酸化インジウムスズ）などの導電性薄膜を用いることができる。また、電気泳動表示体３としては、荷電粒子が分散された分散媒を封入したマイクロカプセルなどを用いることができ、ボリマーバインダー中に分散されたマイクロカプセルを表示基板１上に塗布することにより、電気泳動表示体３を表示基板１に形成することができる。
【００１９】
一方、基材５の表面には、電気泳動表示体３をセグメントに区分けするセグメント電極４ａ〜４ｅが形成されている。そして、電気泳動表示体３は、セグメント電極４ａ〜４ｅを介して基材５に貼り付けられている。なお、基材５としては、例えば、ポリイミドなどの樹脂を用いることができる。また、セグメント電極４ａ〜４ｅの材質としては、例えば、Ａｌ、Ｃｕなどの金属箔を用いることができる。
【００２０】
そして、電気泳動表示装置には、セグメント電極４ａ〜４ｅの駆動制御を行う駆動制御部６が設けられ、駆動制御部６は、セグメント電極４ａ〜４ｅごとに駆動制御を行うことができ。例えば、駆動制御部６は、表示の切り替えが行われないセグメントがリセットされないようにしながら、表示の切り替えが行われるセグメントの書き換えが行われるように、セグメント電極４ａ〜４ｅの駆動制御を行うことができる。
【００２１】
これにより、電気泳動表示体３のセグメントに新たな表示パターンを書き込む場合においても、電気泳動表示全体を一旦リセットする必要がなくなる。このため、電気泳動表示体３の全面の書き換えを行う必要がなくなり、書き換え時の駆動容量を低減させることが可能となることから、書き換え時の駆動電流を低減させることができ、消費電力を低減することが可能となる。
【００２２】
また、電気泳動表示全体を一旦リセットする必要がなくなることから、同一パターンが表示されるセグメントについてはそのまま表示を継続させることができる。このため、電気泳動表示体３のセグメントに新たな表示パターンを書き込む際に、何も表示されない状態が画面全体に渡って一瞬発生することを防止することができ、表示パターンの切り替え時のちらつきを抑制することが可能となる。
【００２３】
なお、図１の電気泳動表示装置は、例えば、携帯時計、表示板、ＲＦＩＤカードなどの表示装置として利用したり、携帯電話の二次的な時刻表示などに用いることもできる。また、携帯電話やデジタルビデオカメラなどの図形や記号やアイコンなどを表示するために利用してもよい。
図２は、図１の電気泳動表示装置が適用される表示部の概略構成を示す外観図である。
【００２４】
図２において、時計のベルト部７および文字盤部８には、電気泳動表示装置にて表示パターンが施されている。ここで、これらの表示パターンは、電気泳動表示体を区分けしたセグメントにて構成することができ、ベルト部７および文字盤部８のセグメントは独立に駆動することができる。
図３は、図１の電気泳動表示装置が適用される表示パターンの一例を示す平面図、図４は、図３の表示パターンの切り替え方法の一例を示す平面図である。
【００２５】
図３において、時計のベルト部１１および文字盤部１２には、電気泳動表示装置にて構成される表示パターンを表示することができる。そして、ベルト部１１には、ブロック状の表示パターンが配列され、文字盤部１２には、時刻および曜日を表す数字、文字および記号を表示することができる。ここで、これらの表示パターンは、電気泳動表示体を区分けしたセグメントにて構成することができ、ベルト部１１および文字盤部１２のセグメントは独立に駆動することができる。また、ベルト部１１に設けられたブロック状のセグメントおよび文字盤部１２に設けられた数字、文字および記号を表すセグメントは、独立に駆動することができる。
【００２６】
そして、図４において、ベルト部１１では、文字盤部１２の表示の切り替えと独立して決められたタイミングで表示の切り替えを行うことができる。例えば、白色表示されるセグメントと黒色表示されるセグメントとの割合を２４時間周期で変化させ、昼夜のイメージをベルト部１１に表現させることができる。すなわち、昼の“１２：２０：１０”には、ベルト部１１のセグメントを全て白色とすることにより昼を表現し、“１２：２０：１０”→“１４：５５：１０”→“１９：４５：１０”と暗くなるに従って白色表示されるセグメントの個数を増やすことにより、昼夜のイメージをベルト部１１に表現させることができる。
【００２７】
ここで、ベルト部１１に設けられたブロック状のセグメントを独立に駆動することにより、昼夜のイメージをベルト部１１に表現させる場合においても、各セグメントの切り替えを１２時間に１回で済ませることができる。
一方、文字盤部１２では、ベルト部１１の表示の切り替えと独立して決められたタイミングで表示の切り替えを行うことができる。例えば、曜日表示は１日に一回、時間表示は１時間に一回、分表示は１分間に一回、秒表示は１秒間に一回のタイミングで表示の切り替えを行うことができる。
【００２８】
また、所定時間だけ表示が継続されたセグメント表示をリセットしてから、同一のセグメント表示が再度行われるようにしてもよい。例えば、曜日表示は１日に一回だけ行えばよいが、同一の曜日表示の再書き込みを１日に何回か繰り返すようにしてもよい。すなわち、曜日表示として“ＳＵＮ”と表示されている場合、例えば、“ＳＵＮ”と表示が１時間だけ継続された時に、その“ＳＵＮ”という表示を一旦リセットし、その“ＳＵＮ”という表示がされていた同一のセグメントに再び“ＳＵＮ”という表示を書き込むようにしてもよい。
【００２９】
これにより、セグメント表示のコントラストが経時的に低下した場合においても、セグメント表示のコントラストを上昇させることが可能となるとともに、コントラストが低下したセグメントを選択して再書き込みを行うことができる。このため、同一パターンの表示が長時間継続される場合においても、書き換え時の消費電力の増大を抑制しつつ、電気泳動表示体の視認性を向上させることが可能となる。
【００３０】
また、電源電圧が低下した場合、ベルト部１１の表示を停止させ、文字盤部１２のみの表示を切り替えることにより、文字盤部１２の表示が継続できるようにしてもよい。例えば、ベルト部１１のセグメントは全て白色のままの状態で放置し、文字盤部１２の時刻の切り替えのみが行われるようにしてもよい。
これにより、電源電圧が低下した場合においても、電気泳動表示体の画面全体が表示不能となることを防止することが可能となり、最低限必要不可欠な表示を継続させることができる。
【００３１】
また、電源電圧が低下した場合、セグメント表示の切り替えタイミングを遅らせるようにしてもよい。例えば、電源電圧が通常の場合、１秒間隔で秒表示を切り替えるようにし、電源電圧が低下した場合、例えば、２秒間隔で秒表示を切り替えるようにしてもよい。
また、複数のセグメントの表示を切り替える場合、セグメントごとに切り替えタイミングをずらすようにしてもよい。例えば、昼から午後に移行する時に、セグメントＤ１〜Ｄ５を白色から黒色に切り替えるものとすると、これらのセグメントＤ１〜Ｄ５を同時に切り替えるのではなく、例えば、Ｄ１→Ｄ２→Ｄ３→Ｄ４→Ｄ５の順序でセグメントＤ１〜Ｄ５を切り替えるようにしてもよい。
【００３２】
これにより、電気泳動表示全体を一度にリセットする必要がなくなることから、電気泳動表示体の書き換えを行う場合においても、何も表示されない状態を画面上で分散させることができ、表示パターンの切り替え時のちらつきを抑制することが可能となる。
図５は、本発明の第２実施形態に係る電気泳動表示装置の駆動方法を示すフローチャートである。
【００３３】
図５において、電気泳動表示装置は、今回書き換え対象となるセグメントの印加数が所定の個数に達しているかどうかを判断する（ステップＳ１）。なお、セグメントの印加数の代わりに、書き換え対象となるセグメントの面積が所定値に達しているかどうかを判断するようにしてもよい。そして、今回書き換え対象となるセグメントの印加数が所定の個数に達していない場合、それらのセグメントをそのまま書き換える（ステップＳ２）。
【００３４】
一方、今回書き換え対象となるセグメントの印加数が所定の個数に達している場合、これらのセグメントが互いに重複しないように二分割し、二分割された一方のセグメントを書き換える（ステップＳ３）。
次に、二分割された他方のセグメントに新しい表示データが重複して表示されるかどうかを判断する（ステップＳ４）。そして、分割された他方のセグメントに新しい表示データが重複して表示される場合、新しい表示データを優先し、それ以外の表示データとともに書き換える（ステップＳ５）。一方、分割された他方のセグメントに新しい表示データが重複して表示されない場合、分割された他方のセグメントを書き換えるとともに、新しい表示データの書き込みも行う（ステップＳ６）。
【００３５】
これにより、複数のセグメントの表示の切り替え指示が同時になされた場合においても、セグメント表示の切り替えタイミングをずらしながら、複数のセグメントの書き換えを行うことができる。このため、電気泳動表示全体を一度にリセットする必要がなくなることから、何も表示されない状態を画面上で分散させることができ、表示パターンの切り替え時のちらつきを抑制することが可能となる。
【００３６】
また、電気泳動表示体全面を一度に書き換える必要がなくなり、書き換え時の駆動容量を低減させることが可能となることから、書き換え時の駆動電流を低減させることができ、電源の容量を低減することが可能となる。
図６は、本発明の第３実施形態に係る電気泳動表示装置の駆動方法を示すフローチャートである。
【００３７】
図６において、電源電圧または表示部印加電圧を測定し、所定の電圧と比較する（ステップＳ１１）。そして、電源電圧または表示部印加電圧が所定の電圧に達しているかどうかを判断する（ステップＳ１２）。そして、電源電圧または表示部印加電圧が所定の電圧に達している場合、指定されたエリアに書き込みを行う（ステップＳ１３）。
一方、電源電圧または表示部印加電圧が所定の電圧に達していない場合、最優先エリアの書き込みの必要電圧に達しているかどうかを判断する（ステップＳ１４）。そして、最優先エリアの書き込みの必要電圧に達していない場合、表示を停止させる（ステップＳ１５）。
【００３８】
一方、電源電圧または表示部印加電圧が所定の電圧に達している場合、電源電圧の低下を知らせるために、表示エリアを一旦リセットし、指定されたパターン以外の表示を行う（ステップＳ１６）。次に、最優先エリアにのみ書き込みを実施する（ステップＳ１７）。
これにより、電源電圧が低下した場合においても、電気泳動表示体の画面全体が表示不能となることを防止することが可能となり、最低限必要不可欠な表示を継続させることが可能となるとともに、電源電圧の低下を通知することができる。
【図面の簡単な説明】
【００３９】
【図１】本発明の第１実施形態に係る電気泳動表示装置の概略構成を示す断面図。
【図２】図１の電気泳動表示装置が適用される表示部の概略構成を示す外観図。
【図３】図１の電気泳動表示装置が適用される表示パターンの一例を示す平面図。
【図４】図３の表示パターンの切り替え方法の一例を示す平面図。
【図５】第２実施形態に係る電気泳動表示装置の駆動方法を示すフローチャート。
【図６】第３実施形態に係る電気泳動表示装置の駆動方法を示すフローチャート。
【符号の説明】
【００４０】
１  表示基板、２  透明電極、３  電気泳動表示体、４ａ〜４ｅ  セグメント電極、５  基材、６  駆動制御部、７、１１  ベルト部、８、１２  文字盤部、Ｄ１〜Ｄ５  セグメント
【図１】
2006350160.tif 000003
【図２】
2006350160.tif 000004
【図３】
2006350160.tif 000005
【図４】
2006350160.tif 000006
【図５】
2006350160.tif 000007
【図６】
2006350160.tif 000008